【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
遊技者の遊技に関する遊技関連情報を収集する収集手段と、
複数の催事について、少なくとも催事の実施期間を含む催事に関する催事情報を受付けて登録する催事情報登録手段と、
該催事情報登録手段にて登録された各催事情報に該当する催事の開始以前における所定の集計対象期間に前記収集手段にて収集した前記遊技関連情報を集計するとともに、前記登録された各催事情報に該当する催事の開始以降における所定の集計対象期間に前記収集手段にて収集した前記遊技関連情報を集計する集計手段と、
該集計手段にて集計した催事開始以前の集計結果と催事開始以降の集計結果とを対比可能に出力する出力手段と、
前記催事の開始以前における集計対象期間および催事の開始以降における集計対象期間の少なくとも一方を各催事毎に設定変更する集計対象期間設定手段と、
を備え、
前記遊技者はその種別として会員遊技者と非会員遊技者とで構成され、
前記収集手段は、前記遊技者種別を前記遊技関連情報とともに収集し、
前記集計手段は、前記遊技関連情報の集計を遊技者種別毎に実施するとともに、
前記出力手段は、前記集計結果の該当項目に占める各遊技者種別による割合を認識可能に出力することを特徴とする遊技用管理装置。
【請求項２】
少なくとも前記会員遊技者の属性情報を含む会員遊技者に関する情報が該会員遊技者毎に登録された会員データベースを有し、
前記収集手段は、前記遊技関連情報とともに会員遊技者を特定可能な情報を収集し、
前記集計手段は、前記遊技関連情報の集計を各会員遊技者の属性毎に実施する請求項１に記載の遊技用管理装置。
【請求項３】
前記集計手段は、前記会員データベースに登録されている会員遊技者数を集計し、
前記出力手段は、前記催事の前後或いは催事中後における会員遊技者数の増減を認識可能に出力する請求項２に記載の遊技用管理装置。
【請求項４】
前記会員遊技者には複数の階層種別が設けられ、
前記集計手段は、各階層種別毎に前記遊技関連情報の集計を実施する請求項１〜３のいずれかに記載の遊技用管理装置。
【手続補正２】
【補正対象書類名】明細書
【補正対象項目名】０００５
【補正方法】変更
【補正の内容】
【０００５】
前記した問題を解決するために、本発明の遊技用管理装置は、遊技者の遊技に関する遊技関連情報を収集する収集手段と、
複数の催事について、少なくとも催事の実施期間を含む催事に関する催事情報を受付けて登録する催事情報登録手段と、
該催事情報登録手段にて登録された各催事情報に該当する催事の開始以前における所定の集計対象期間に前記収集手段にて収集した前記遊技関連情報を集計するとともに、前記登録された各催事情報に該当する催事の開始以降における所定の集計対象期間に前記収集手段にて収集した前記遊技関連情報を集計する集計手段と、
該集計手段にて集計した催事開始以前の集計結果と催事開始以降の集計結果とを対比可能に出力する出力手段と、
前記催事の開始以前における集計対象期間および催事の開始以降における集計対象期間の少なくとも一方を各催事毎に設定変更する集計対象期間設定手段と、
を備え、
前記遊技者はその種別として会員遊技者と非会員遊技者とで構成され、
前記収集手段は、前記遊技者種別を前記遊技関連情報とともに収集し、
前記集計手段は、前記遊技関連情報の集計を遊技者種別毎に実施するとともに、
前記出力手段は、前記集計結果の該当項目に占める各遊技者種別による割合を認識可能に出力することを特徴としている。
この特徴によれば、少なくとも前記催事の実施期間を含む催事に関する催事情報を入力することで、該入力した催事の催事前後の前記遊技関連情報が遊技者種別毎に集計されて対比可能に出力されるようになるため、集計結果に占める会員遊技者と非会員遊技者の構成比率を把握することができ、これら遊技者種別毎の催事（イベント）の効果を簡便に確認することができる。また、各催事毎に集計対象期間を設定することで、各催事について所望する集計対象期間での集計結果による比較を実施できるようになる。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明の遊技用管理装置は、少なくとも前記会員遊技者の属性情報を含む会員遊技者に関する情報が該会員遊技者毎に登録された会員データベースを有し、
前記収集手段は、前記遊技関連情報とともに会員遊技者を特定可能な情報を収集し、
前記集計手段は、前記遊技関連情報の集計を各会員遊技者の属性毎に実施することが好ましい。
このようにすれば、会員の属性毎に催事（イベント）の効果を確認できる。
【手続補正１４】
【補正対象書類名】明細書
【補正対象項目名】００１７
【補正方法】変更
【補正の内容】
【００１７】
本発明の遊技用管理装置は、前記集計手段は、前記会員データベースに登録されている会員遊技者数を集計し、
前記出力手段は、前記催事の前後或いは催事中後における会員遊技者数の増減を認識可能に出力することが好ましい。
このようにすれば、催事（イベント）の開始による会員数の変化を把握することができる。
【手続補正１５】
【補正対象書類名】明細書
【補正対象項目名】００１８
【補正方法】変更
【補正の内容】
【００１８】
本発明の遊技用管理装置は、前記会員遊技者には複数の階層種別が設けられ、
前記集計手段は、各階層種別毎に前記遊技関連情報の集計を実施することが好ましい。
このようにすれば、前記会員遊技者の階層種別毎の催事（イベント）の効果を把握することができる。
【手続補正１６】
【補正対象書類名】明細書
【補正対象項目名】００２０
【補正方法】変更
【補正の内容】
【００２０】
（ａ）請求項１の発明によれば、少なくとも前記催事の実施期間を含む催事に関する催事情報を入力することで、該入力した催事の催事前後の前記遊技関連情報が遊技者種別毎に集計されて対比可能に出力されるようになるため、集計結果に占める会員遊技者と非会員遊技者の構成比率を把握することができ、これら遊技者種別毎の催事（イベント）の効果を簡便に確認することができる。また、各催事毎に集計対象期間を設定することで、各催事について所望する集計対象期間での集計結果による比較を実施できるようになる。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】変更
【補正の内容】
【００３１】
（ｂ）請求項２の発明によれば、会員の属性毎に催事（イベント）の効果を確認できる。
【手続補正２９】
【補正対象書類名】明細書
【補正対象項目名】００３２
【補正方法】変更
【補正の内容】
【００３２】
（ｃ）請求項３の発明によれば、催事（イベント）の開始による会員数の変化を把握することができる。
【手続補正３０】
【補正対象書類名】明細書
【補正対象項目名】００３３
【補正方法】変更
【補正の内容】
【００３３】
（ｄ）請求項４の発明によれば、前記会員遊技者の階層種別毎の催事（イベント）の効果を把握することができる。
【手続補正３１】
【補正対象書類名】明細書
【補正対象項目名】０２５０
【補正方法】変更
【補正の内容】
【０２５０】
本発明の請求項１は、遊技者の遊技に関する遊技関連情報（カード挿入（来店）、消費（売上）、入金、会員補給球数（ＩＮ）、会員アウト球数、特賞回数、プレミアムリーチ、補給球総数、アウト球総数等）を収集する収集手段（第１通信部１０９，１２９、第２通信部１１０，１３０）と、複数の催事について、少なくとも催事の実施期間を含む催事に関する催事情報を受付けて登録する催事情報登録手段（入力装置１２６；イベント登録画面）と、該催事情報登録手段にて登録された各催事情報に該当する催事の開始以前における所定の集計対象期間に前記収集手段にて収集した前記遊技関連情報を集計するとともに、前記登録された各催事情報に該当する催事の開始以降における所定の集計対象期間に前記収集手段にて収集した前記遊技関連情報を集計する集計手段（ＣＰＵ１２２）と、該集計手段にて集計した催事開始以前の集計結果と催事開始以降の集計結果とを対比可能に出力する出力手段（表示装置１２７、プリンタ１２８）と、前記催事の開始以前における集計対象期間および催事の開始以降における集計対象期間の少なくとも一方を各催事毎に設定変更する集計対象期間設定手段と、を備え、前記遊技者はその種別として会員遊技者と非会員遊技者とで構成され、前記収集手段は、前記遊技者種別を前記遊技関連情報とともに収集し、前記集計手段は、前記遊技関連情報の集計を遊技者種別毎に実施するとともに、前記出力手段は、前記集計結果の該当項目に占める各遊技者種別による割合を認識可能に出力する。
【手続補正３２】
【補正対象書類名】明細書
【補正対象項目名】０２５１
【補正方法】削除
【補正の内容】
【手続補正３３】
【補正対象書類名】明細書
【補正対象項目名】０２５２
【補正方法】削除
【補正の内容】
【手続補正３４】
【補正対象書類名】明細書
【補正対象項目名】０２５３
【補正方法】削除
【補正の内容】
【手続補正３５】
【補正対象書類名】明細書
【補正対象項目名】０２５４
【補正方法】削除
【補正の内容】
【手続補正３６】
【補正対象書類名】明細書
【補正対象項目名】０２５５
【補正方法】削除
【補正の内容】
【手続補正３７】
【補正対象書類名】明細書
【補正対象項目名】０２５６
【補正方法】削除
【補正の内容】
【手続補正３８】
【補正対象書類名】明細書
【補正対象項目名】０２５７
【補正方法】削除
【補正の内容】
【手続補正３９】
【補正対象書類名】明細書
【補正対象項目名】０２５８
【補正方法】削除
【補正の内容】
【手続補正４０】
【補正対象書類名】明細書
【補正対象項目名】０２５９
【補正方法】削除
【補正の内容】
【手続補正４１】
【補正対象書類名】明細書
【補正対象項目名】０２６０
【補正方法】削除
【補正の内容】
【手続補正４２】
【補正対象書類名】明細書
【補正対象項目名】０２６１
【補正方法】変更
【補正の内容】
【０２６１】
本発明の請求項２は、少なくとも前記会員遊技者の属性情報（性別や年代）を含む会員遊技者に関する情報が該会員遊技者毎に登録された会員データベース（会員情報テーブル）を有し、前記収集手段（第１通信部１０９，１２９、第２通信部１１０，１３０）は、前記遊技関連情報とともに会員遊技者を特定可能な情報（会員ＩＤ）を収集し、前記集計手段は、前記遊技関連情報の集計を各会員遊技者の属性（図４１；世代別、図４２；性別）毎に実施する。
【手続補正４３】
【補正対象書類名】明細書
【補正対象項目名】０２６２
【補正方法】変更
【補正の内容】
【０２６２】
本発明の請求項３は、前記集計手段は、前記会員データベース（会員情報テーブル）に登録されている会員遊技者数を集計し、前記出力手段は、前記催事の前後或いは催事中後における会員遊技者数の増減を認識可能（図４１；会員数増減、図４２；会員数増減）に出力する。
【手続補正４４】
【補正対象書類名】明細書
【補正対象項目名】０２６３
【補正方法】変更
【補正の内容】
【０２６３】
本発明の請求項４は、前記会員遊技者には複数の階層種別（Ａランク〜Ｇランク）が設けられ、前記集計手段は、各階層種別（図４１；Ａ，Ｂ，Ｃランク、図４２；Ａ，Ｂ，Ｃランク）毎に前記遊技関連情報の集計を実施する。